(57)【要約】      （修正有）【課題】組立やすく、且つ放熱効果も良いＬＥＤランプの構造を提供する。【解決手段】主に口金、ダイキャスト、ＬＥＤ発光モジュール、グローブで構成するＬＥＤランプの構造である。電源と接続する口金１０の外壁の周りにストッパー１１を設け、その下に複数の垂直のフック１２を設け、該口金１０の中に整流変圧器１３のＩＣを設置する。該口金の同軸に金属のダイキャスト２０を設け、該ダイキャスト２０は漏斗型の構造体であり、外壁に複数のリブ２１を形成する。該ダイキャストの一端にＬＥＤ発光モジュールを設置し、該ＬＥＤ発光モジュールに含まれるのはＩＣ１３と電気接続する基板及び、少なくとも基板に設置する一つのＬＥＤダイである。該基板の縁に掛合部を形成し、該掛合部は該ダイキャストのリング槽に定位する。該第二開口の内ぶちに設置するグローブ４０は、光を透過する材質で作られる。【選択図】図２
0003165927.tif 000002
【実用新案登録請求の範囲】
【請求項１】
口金、ダイキャスト、ＬＥＤ発光モジュール、グローブを含み、
電源と接続する口金１０の外壁の周りにストッパー１１を設け、その下に複数の垂直のフック１２を設け、該口金１０の中に整流変圧器のＩＣ１３を設置し、
該ダイキャスト２０は口金と同軸に設置する漏斗型の構造体であり、外壁に複数のリブ２１を形成し、
該ダイキャスト２０の両端は互いに貫通する第一開口２２及び第二開口２３を形成し、該第一開口２２を口金１０に套設し、該直径は第二開口２３の直径より小さく、
該ダイキャスト２０は第一開口２２の内側同軸にリングエッジ２２１を設け、第一開口２２の端を口金１０のストッパー１１と抵触する際、該フック１２は該リングエッジ２２１に引っかかり、該ダイキャスト２０は第二開口２３の内ぶちにも端が口金１０に向けたリング槽２３１を形成し、
該ＬＥＤ発光モジュール３０に含まれるのはＩＣ１３と電気接続する基板３１及び、少なくとも基板３１に設置する一つのＬＥＤダイ３２であり、該基板３１の縁に掛合部３１１を形成し、該掛合部３１１は該ダイキャストのリング槽２３１に定位し、
該第二開口２３の内ぶちに設置するグローブ４０は、光を透過する材質で作られることを特徴とするＬＥＤランプの構造。
【請求項２】
該グローブはアクリルで作られることを特徴とする請求項１記載のＬＥＤランプの構造。
【請求項３】
該グローブはガラスで作られることを特徴とする請求項１記載のＬＥＤランプの構造。
【考案の詳細な説明】
【技術分野】
【０００１】
本考案はＬＥＤランプの構造に関し、特に組立やすく、放熱効果の良いＬＥＤランプの構造に関する。
【背景技術】
【０００２】
現在の照明設備のなか、通常は蛍光灯或いは白熱電球を発光源とするが、蛍光灯は特殊な発光原理により、蛍光灯内部に汚染性の高い蛍光粉を塗布する必要があるほか、フリッカーするという欠点を持つ。従来の白熱電球の一番の欠点は、電気消費量が高いことである。また、白熱電球は放熱構造がないため、長時間使用すると高熱が生じる。エコ意識が高まる昨今では、前述の光源はエコのニーズに合わない。
【０００３】
半導体テクノロジーの進歩に従い、発光ダイオードはその体積が小さく、電気消費量が少ないことで、特に白光のＬＥＤは照明業界の寵児となった。しかし、現有の技術では、一つの高い仕事率のＬＥＤの入力仕事率は僅か１５〜２０％が光に転換し、残りの８０〜８５％の入力仕事率が熱エネルギーに転換するため、往々にしてＬＥＤの表面温度が高すぎるため、効率が減衰し、使用寿命にまで影響を及ぼす。現在のＬＥＤランプは放熱モジュールを設置するため、組立過程を煩雑なものにしやすく、生産高に影響を及ぼすため、更なる改善が必要であった。
【先行技術文献】
【特許文献】
【０００４】
【特許文献１】登録実用新案第３１０８６５１号公報
【考案の概要】
【考案が解決しようとする課題】
【０００５】
前記公知構造の欠点を解決するため、本考案は組立やすく、且つ放熱効果の良いＬＥＤランプの構造を提供することを主な課題とする。
【課題を解決するための手段】
【０００６】
前記課題を解決するため、本考案はＬＥＤランプの構造を提供するものである。本考案に含まれるのは、電源と接続する口金１０、該口金１０の外壁の周りにストッパー１１を設け、その下に複数の垂直のフック１２を設ける。また、該口金１０の中に整流変圧器１３のＩＣを設置する。該口金の上に金属ダイキャスト２０を設置し、該ダイキャスト２０は漏斗型の構造体であり、外壁に複数のリブ２１を形成する。該ダイキャスト２０の両端は互いに貫通する第一開口２２及び第二開口２３を形成する。該第一開口２２を口金１０に套設し、該直径は第二開口２３の直径より小さい。該ダイキャスト２０は第一開口２２の内側同軸にリングエッジ２２１を設ける。第一開口２２の端を口金１０のストッパー１１と抵触する際、該フック１２は該リングエッジ２２１に引っかかる。該ダイキャスト２０は第二開口２３の内ぶちにも端が口金１０に向けたリング槽２３１を形成する。ダイキャストの中に設置するＬＥＤ発光モジュール３０に含まれるのは、ＩＣ１３と電気接続する基板３１及び、少なくとも基板３１に設置する一つのＬＥＤダイ３２である。該基板３１の縁に、ダイキャストのリング槽に掛合する掛合部３１１を形成する。第二開口の内ぶちに設置するグローブの材質は光を透過する材質で作られる。
【０００７】
本考案はシンプルな構造且つ組立が便利であるため、確実に従来技術のＬＥＤランプの煩雑な作り方の問題を解決することができるほか、ダイキャスト２０により、放熱効果がアップするため、同時に従来技術のＬＥＤランプの放熱効果の悪さも解決し、ＬＥＤの寿命も長くなる。
【考案の効果】
【０００８】
本考案はシンプルな構造且つ組立が便利であり、ダイキャスト２０の設置により、放熱効果がアップし、ＬＥＤの寿命も長くなる。
【図面の簡単な説明】
【０００９】
【図１】本考案の立体外観図である。
【図２】本考案の局部立体分解図である。
【図３Ａ】本考案のダイキャストとＬＥＤ発光モジュールの立体分解図である。
【図３Ｂ】本考案のダイキャストの局部立体拡大図である。
【図４Ａ】本考案の断面図である。
【図４Ｂ】本考案断面図の局部拡大図である。
【考案を実施するための形態】
【００１０】
本考案によるＬＥＤランプの構造を明確に示すために図に沿って詳細な説明を行う。
【００１１】
本考案にて実施例を挙げて図に沿って詳細な説明をするが、これにより本考案の保護範囲が限定されるものではない。
【実施例】
【００１２】
本考案は組み立てやすく、放熱性の良いＬＥＤランプの構造である。図１から図４Ｂに示すように、本考案に含まれるのは、電源と接続する口金１０、同軸に設置する口金１０の上にある金属製ダイキャスト２０、ダイキャスト２０の中に設置するＬＥＤ発光モジュール３０及び、ダイキャスト２０の頂上に位置し、ＬＥＤ発光モジュール３０を覆うグローブ４０である。
【００１３】
該口金１０の外壁の周りにストッパー１１を設け、その下に複数の垂直のフック１２を設ける。また、該口金１０の中に整流変圧器のＩＣ１３を設置する。
【００１４】
該ダイキャスト２０は漏斗型の構造体であり、本考案の熱を放熱する。該ダイキャスト２０の外壁に複数のリブ２１を形成し、該リブ２１はダイキャスト２０の放熱効果をアップするほか、美観の効果も兼ねる。該ダイキャスト２０の両端は互いに貫通する第一開口２２及び第二開口２３を形成する。該第一開口２２を口金１０に套設し、該直径は第二開口２３の直径より小さい。該ダイキャスト２０は第一開口２２の内側同軸にリングエッジ２２１を設ける。第一開口２２の端を口金１０のストッパー１１と抵触する際、該フック１２は該リングエッジ２２１に引っ掛けることで、ダイキャスト２０を口金１０に定位する。該ダイキャスト２０は第二開口２３の内ぶちにも端が口金１０に向けたリング槽２３１を形成する。
【００１５】
該ＬＥＤ発光モジュール３０に含まれるのはＩＣ１３と電気接続する基板３１及び、少なくとも基板３１に設置する一つのＬＥＤダイ３２であり、該ＬＥＤダイ３２は本考案の発光源である。該基板３１の縁に掛合部３１１を形成し、ＬＥＤ発光モジュール３０を組み立てる際、該掛合部３１１は該ダイキャスト２０のリング槽２３１に定位する。
【００１６】
該グローブ４０は光透過性のある材質(アクリル或いはガラス)で作られ、第二開口２３の内ぶちに設置する。該グローブ４０により本考案が完全なる構造となるほか、ＬＥＤ発光モジュール３０を保護する役割も持つ。
【産業上の利用可能性】
【００１７】
本考案はシンプルな構造且つ組立が便利であるため、確実に従来技術のＬＥＤランプの煩雑な作り方の問題を解決することができるほか、ダイキャスト２０により、放熱効果がアップするため、同時に従来技術のＬＥＤランプの放熱効果の悪さも解決し、ＬＥＤの寿命も長くなる。
【００１８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１９】
１０  口金
１１  ストッパー
１２  フック
１３  ＩＣ
２０  ダイキャスト
２１  リブ
２２  第一開口
２２１  リングエッジ
２３  第二開口
２３１  リング槽
３０  ＬＥＤ発光モジュール
３１  基板
３１１  掛合部
３２  ＬＥＤダイ
４０  グローブ
【図１】
0003165927.tif 000003
【図２】
0003165927.tif 000004
【図３Ａ】
0003165927.tif 000005
【図３Ｂ】
0003165927.tif 000006
【図４Ａ】
0003165927.tif 000007
【図４Ｂ】
0003165927.tif 000008